(57)【特許請求の範囲】
【請求項１】
ＩＳＤＮを物理的に接続し物理レイヤの制御とＤ、Ｂチャネルの分割を行う回線Ｉ／Ｆ部と、
非同期ＰＰＰフレームを同期ＰＰＰフレームに変換する非同期／同期ＰＰＰ変換部と、  ＰＨＳとのデータ伝送の標準プロトコルであるＰＩＡＦＳを制御するＰＩＡＦＳ制御部と、
本ターミナルアダプタ装置の管理を行う装置管理部と、
前記ＩＳＤＮの呼制御チャネルＤの制御を行うＤ−ｃｈ制御部と、
所定のデータ端末を接続する端末Ｉ／Ｆ部とを有して構成され、
前記回線Ｉ／Ｆ部からのＰＩＡＦＳフォーマット形式で送受するデータを、前記端末Ｉ／Ｆ部においては同期式ＰＰＰフォーマットで双方向通信を可能としたことを特徴とするターミナルアダプタ装置。
【請求項２】
ターミナルアダプタ装置は、さらに、ＰＩＡＦＳフォーマットのデータを送信する非同期ＰＩＡＦＳ端末に接続されたＰＨＳ端末とＰＨＳ網とにより無線機能を構成し、前記データを前記ＰＨＳ網を介してＩＳＤＮと接続し、前記非同期ＰＩＡＦＳ端末と無線による双方向通信を可能としたことを特徴とする請求項１に記載のターミナルアダプタ装置。
【請求項３】
ＩＳＤＮを物理的に接続し物理レイヤの制御とＤ、Ｂチャネルの分割を行う回線Ｉ／Ｆ部と、
非同期ＰＰＰフレームを同期ＰＰＰフレームに変換する非同期／同期ＰＰＰ変換部と、
前記ＩＳＤＮから受信した音声信号をモデム信号に変換し、さらにモデム信号のデータを制御して実データの取り込みを行うモデム変換部と、
本ターミナルアダプタ装置の管理を行う装置管理部と、
前記ＩＳＤＮの呼制御チャネルＤの制御を行うＤ−ｃｈ制御部と、
所定のデータ端末を接続する端末Ｉ／Ｆ部とを有して構成され、
前記回線Ｉ／Ｆ部からのモデム形式で送受するデータを、前記端末Ｉ／Ｆ部においては同期式ＰＰＰフォーマットで双方向通信を可能としたことを特徴とするターミナルアダプタ装置。
【請求項４】
ターミナルアダプタ装置は、さらに、モデム信号のデータを送信する非同期端末に接続されたモデムとＰＳＴＮとを接続し、前記データを前記ＩＳＤＮへ接続し、前記非同期端末とのモデムによる双方向通信を可能としたことを特徴とする請求項３に記載のターミナルアダプタ装置。
【請求項５】
ＩＳＤＮを物理的に接続し物理レイヤの制御とＤ、Ｂチャネルの分割を行う回線Ｉ／Ｆ部と、
ワイヤレスターミナルアダプタとして動作するときの自営無線端末が登録される自営無線制御部と、
通信の同期、エラー再送制御などを行い実データを取り込むＰＩＡＦＳ制御部と、
本ターミナルアダプタ装置の管理を行う装置管理部と、
前記ＩＳＤＮの呼制御チャネルＤの制御を行うＤ−ｃｈ制御部と、
前記ＩＳＤＮから受信した音声信号をモデム信号に変換し、さらにモデム信号のデータを制御して実データの取り込みを行うモデム変換部と、
所定のデータ端末を接続する端末Ｉ／Ｆ部とを有して構成され、
前記自営無線Ｉ／ＦからのＰＩＡＦＳフォーマット形式で送受されるデータを、前記ＩＳＤＮに対してはモデム信号形式で双方向通信を可能としたことを特徴とするターミナルアダプタ装置。
【請求項６】
ターミナルアダプタ装置は、さらに、前記ＰＩＡＦＳフォーマットのデータを無線で送信する無線機能を内臓した無線機能内臓ＰＤＡと無線機能を構成し、自営無線制御部との双方向通信を可能としたことを特徴とする請求項５に記載のターミナルアダプタ装置。
【請求項７】
ＩＳＤＮを物理的に接続し物理レイヤの制御とＤ、Ｂチャネルの分割を行う回線Ｉ／Ｆ部と、
ワイヤレスターミナルアダプタとして動作するときの自営無線端末が登録される自営無線制御部と、
通信の同期、エラー再送制御などを行い実データを取り込むＰＩＡＦＳ制御部と、
本ターミナルアダプタ装置の管理を行う装置管理部と、
前記ＩＳＤＮの呼制御チャネルＤの制御を行うＤ−ｃｈ制御部と、
非同期ＰＰＰフレームを同期ＰＰＰフレームに変換する非同期／同期ＰＰＰ変換部と、
所定のデータ端末を接続する端末Ｉ／Ｆ部とを有して構成され、
前記自営無線Ｉ／ＦからのＰＩＡＦＳフォーマット形式で送受されるデータを、前記ＩＳＤＮに対しては同期ＰＰＰ形式で双方向通信を可能としたことを特徴とするターミナルアダプタ装置。
【請求項８】
ターミナルアダプタ装置は、さらに、ＰＩＡＦＳフォーマットのデータを無線で送信する無線機能を内臓した無線機能内臓ＰＤＡと無線機能を構成し、自営無線制御部との双方向通信を可能としたことを特徴とする請求項７に記載のターミナルアダプタ装置。
【発明の詳細な説明】
【０００１】
【発明の属する技術分野】
本発明は、ＩＳＤＮ(Integrated Service Digital Network)に接続されデータ通信を可能としたターミナルアダプタ装置に関する。
【０００２】
【従来の技術】
従来、ターミナルアダプタ装置は、非同期端末とＰＩＡＦＳ端末とでトランスペアレントな通信を可能に構成される。
【０００３】
図５は、従来のターミナルアダプタ（以降、単にＴＡとも言う）装置の構成図を示している。図５において、本従来例のターミナルアダプタ装置５は、データ端末を接続する端末Ｉ／Ｆ部１１、ＰＨＳ（Personal Hometrade System)とのデータ伝送の標準プロトコルであるＰＩＡＦＳ（PHS INTERNET ACCESS FORUM)を制御するＰＩＡＦＳ制御１２、本ターミナルアダプタ装置５の全ての管理を行う装置管理部１３、ＩＳＤＮの呼制御チャネルＤの制御を行うＤ−ｃｈ制御部１４、ＩＳＤＮを物理的に接続し物理レイヤの制御とＤ、Ｂチャネルの分割を行う回線Ｉ／Ｆ部１５、ワイヤレスＴＡとして動作するときの自営無線端末が登録される自営無線制御部１６を有して構成される。
【０００４】
また、上記構成のターミナルアダプタ装置５において、遠隔地からＬＡＮ等にアクセスするために必要な装置であり非同期インタフェースを有するリモートアクセスサーバ１００、ワイヤレスＴＡとして動作する際に本ターミナルアダプタ装置５に登録される無線機能内臓ＰＤＡ１０２、従来のターミナルアダプタ装置５と接続するＩＳＤＮ１０３、相手端末が接続するＰＨＳ網１０４、ＰＨＳ端末１０５、リモートアクセスサーバと通信するクライアントである非同期ＰＩＡＦＳ端末１０６の各部との接続関係を有する。なお、上記の"無線機能内臓ＰＤＡ
"とは、ディジタルコードレスとしてターミナルアダプタ装置に自営登録され、
無線データ通信がＰＩＡＦＳ手順で可能な小型データ端末を言う。
【０００５】
図５において、上記従来のターミナルアダプタ装置５の動作について説明する。最初に、従来のターミナルアダプタ装置５が非同期端末を有するリモートアクセスサーバ１００と、網を介して遠隔地にある非同期ＰＩＡＦＳ端末１０６とを接続するためのターミナルアダプタ装置５としての動作例を説明する。
【０００６】
ＩＳＤＮ１０３は、回線Ｉ／Ｆ部１５にて従来のターミナルアダプタ装置５に接続され、回線Ｉ／Ｆ部１５により時分割に回線チャネルＢと制御チャネルＤに分割される。また、リモートアクセスサーバ１００は、接続線（ＲＳ２３２Ｃ等）により端末Ｉ／Ｆ部１１と接続される。データ通信の動作について説明すると、非同期ＰＩＡＦＳ端末１０６からＩＳＤＮを介して通信呼の着信があると、Ｄ−ｃｈ制御部１４が判断してＩＳＤＮ１０３との信号チャネルＢｃｈを接続する。非同期端末１０６から受信されるＰＩＡＦＳフォーマットのデータは、インバンドチャネル（Ｂ−ｃｈ）よりＰＩＡＦＳ制御部１２にて受信される。ＰＩＡＦＳ制御部１２では通信プロトコルを解凍し、取り出した非同期データを端末Ｉ／Ｆ部１１を介してリモートアクセスサーバ１００に送信する。
【０００７】
また、逆にリモートアクセスサーバ１００から送出される非同期データは、ＰＩＡＦＳフォーマットのデータとして非同期ＰＩＡＦＳ端末１０６に到達する。そして最終的には、非同期データを従来のターミナルアダプタ装置５によりＰＩＡＦＳフォーマット形式のデータに変換して、双方向トランスペアラントな通信が可能となる。さらに、従来のターミナルアダプタ装置５がワイヤレスターミナルアダプタとして動作する時は、自営無線制御部１６に登録された無線機能内臓ＰＤＡ１０２は、本ターミナルアダプタ装置５を介して非同期ＰＩＡＦＳ端末１０６とＰＩＡＦＳ通信することが可能である。
【０００８】
このように上記従来のターミナルアダプタ装置５でもＩＳＤＮを介して非同期端末（ワイヤレスＴＡ時はＰＤＡ）とＰＩＡＦＳ端末とでエンド−エンドにてトランスペアレントな通信をすることができる。
【０００９】
【発明が解決しようとする課題】
しかしながら、上記従来例のターミナルアダプタ装置では、本ターミナルアダプタ装置に接続される端末として非同期端末しか接続することができず、同期ＰＰＰ(Point to Point Protocol)プロトコルのＩ／Ｆを有する一般的なリモートルータなどの端末を接続できない問題点がある。
【００１０】
さらに、登録されたＰＩＡＦＳ端末（以降、単にＰＤＡとも言う）で外部と通信を行おうとする時、相手端末がＰＩＡＦＳプロトコルをサポートしていない端末とは通信することができない問題点がある。
【００１１】
本発明は、ＰＩＡＦＳ通信手順を搭載してない既存の端末と通信することを可能としたターミナルアダプタ装置を提供することを目的とする。
【００１２】
より具体的には、本発明は、ＴＡとして動作する時は網から送受信する様々なプロトコルフォーマットデータを端末側へ同期ＰＰＰデータにマッピングし同期ＰＰＰ端末と通信することを可能とし、ワイヤレスＴＡとして動作する時は無線機能内臓ＰＤＡからのＰＩＡＦＳデータを様々な既存プロトコルに変換し、ＰＩＡＦＳ通信手順を搭載してない既存の端末と通信することを可能としたターミナルアダプタ装置を提供することを目的とする。
【００１３】
【課題を解決するための手段】
本発明のターミナルアダプタ装置は、上記問題点を解決するため、以下のような構成とする。
【００１４】
回線Ｉ／Ｆ部とＩＳＤＮとを物理的に接続し、物理レイヤの制御とＤ、Ｂチャネルの分割を行い、非同期／同期ＰＰＰ変換部において非同期ＰＰＰフレームを同期ＰＰＰフレームにプロトコル変換する。
【００１５】
本構成により、回線Ｉ／Ｆ部からのＰＩＡＦＳフォーマット形式で送受するデータを、端末Ｉ／Ｆ部において同期式ＰＰＰフォーマットで双方向通信を行うことが可能となる。
【００１６】
【発明の実施の形態】
本発明の請求項１に記載の発明のターミナルアダプタ装置は、ＩＳＤＮを物理的に接続し物理レイヤの制御とＤ、Ｂチャネルの分割を行う回線Ｉ／Ｆ部と、非同期ＰＰＰフレームを同期ＰＰＰフレームに変換する非同期／同期ＰＰＰ変換部と、ＰＨＳとのデータ伝送の標準プロトコルであるＰＩＡＦＳを制御するＰＩＡＦＳ制御部と、本ターミナルアダプタ装置の管理を行う装置管理部と、ＩＳＤＮの呼制御チャネルＤの制御を行うＤ−ｃｈ制御部と、所定のデータ端末を接続する端末Ｉ／Ｆ部とを有して構成される。
【００１７】
本構成により、回線Ｉ／Ｆ部とＩＳＤＮとを物理的に接続し、物理レイヤの制御とＤ、Ｂチャネルの分割を行い、非同期／同期ＰＰＰ変換部において非同期ＰＰＰフレームを同期ＰＰＰフレームに変換する。さらに、ＰＩＡＦＳ制御部でＰＨＳとのデータ伝送の標準プロトコルであるＰＩＡＦＳを制御し、Ｄ−ｃｈ制御部でＩＳＤＮの呼制御チャネルＤの制御を行う。これにより、回線Ｉ／Ｆ部からのＰＩＡＦＳフォーマット形式で送受するデータを、端末Ｉ／Ｆ部においては同期式ＰＰＰフォーマットで双方向通信を行うことが可能となる。
【００１８】
また、請求項２に記載の発明のターミナルアダプタ装置は、さらに、ＰＩＡＦＳフォーマットのデータを送信する非同期ＰＩＡＦＳ端末に接続されたＰＨＳ端末と、ＰＨＳ網とにより無線機能を構成し、データをＰＨＳ網を介してＩＳＤＮと接続する。本構成により、請求項１のターミナルアダプタ装置は、ＰＨＳ網とＰＨＳ端末を介して非同期ＰＩＡＦＳ端末と無線で接続される。よって、非同期ＰＩＡＦＳ端末と無線で、同期式ＰＰＰフォーマットでの双方向通信が可能となる。
【００１９】
請求項３に記載の発明のターミナルアダプタ装置は、ＩＳＤＮを物理的に接続し物理レイヤの制御とＤ、Ｂチャネルの分割を行う回線Ｉ／Ｆ部と、非同期ＰＰＰフレームを同期ＰＰＰフレームに変換する非同期／同期ＰＰＰ変換部と、ＩＳＤＮから受信した音声信号をモデム信号に変換し、さらにモデム信号のデータを制御して実データの取り込みを行うモデム変換部と、本ターミナルアダプタ装置の管理を行う装置管理部と、ＩＳＤＮの呼制御チャネルＤの制御を行うＤ−ｃｈ制御部と、所定のデータ端末を接続する端末Ｉ／Ｆ部とを有して構成される。
【００２０】
本構成により、回線Ｉ／Ｆ部とＩＳＤＮとを物理的に接続し、物理レイヤの制御とＤ、Ｂチャネルの分割を行い、非同期／同期ＰＰＰ変換部において非同期ＰＰＰフレームを同期ＰＰＰフレームに変換する。さらに、モデム変換部でＩＳＤＮから受信した音声信号をモデム信号に変換し、さらにモデム信号のデータを制御して実データの取り込みを行い、Ｄ−ｃｈ制御部でＩＳＤＮの呼制御チャネルＤの制御を行う。これにより、回線Ｉ／Ｆ部からのモデム信号形式で送受するデータを、端末Ｉ／Ｆ部においては同期式ＰＰＰフォーマットで双方向通信を行うことが可能となる。
【００２１】
請求項４に記載の発明のターミナルアダプタ装置は、さらに、モデム信号のデータを送信する非同期端末に接続されたモデムとＰＳＴＮ(Public Switched Telephone Network)とを接続し、データを前記ＩＳＤＮへ接続する。本構成により、請求項３のターミナルアダプタ装置は、ＰＳＴＮとモデムを介して非同期端末と接続される。よって、非同期端末と同期式ＰＰＰフォーマットでの双方向通信が可能となる。
【００２２】
また、請求項５に記載の発明のターミナルアダプタ装置は、ＩＳＤＮを物理的に接続し物理レイヤの制御とＤ、Ｂチャネルの分割を行う回線Ｉ／Ｆ部と、ワイヤレスターミナルアダプタとして動作するときの自営無線端末が登録される自営無線制御部と、通信の同期、エラー再送制御などを行い実データを取り込むＰＩＡＦＳ制御部と、本ターミナルアダプタ装置の管理を行う装置管理部と、ＩＳＤＮの呼制御チャネルＤの制御を行うＤ−ｃｈ制御部と、ＩＳＤＮから受信した音声信号をモデム信号に変換し、さらにモデム信号のデータを制御して実データの取り込みを行うモデム変換部と、所定のデータ端末を接続する端末Ｉ／Ｆ部とを有して構成される。
【００２３】
本構成により、物理レイヤの制御とＤ、Ｂチャネルの分割を行い、自営無線制御部がワイヤレスターミナルアダプタとして登録され、ＰＳＴＮとのデータ伝送の標準プロトコルであるＰＩＡＦＳを制御し、ＩＳＤＮの呼制御チャネルＤの制御を行い、ＩＳＤＮから受信した音声信号をモデム信号に変換し、さらにモデム信号のデータを制御して実データの取り込みを行い、所定のデータ端末を接続する端末Ｉ／Ｆ部とを有して構成される。これにより、回線Ｉ／Ｆ部からのモデム信号形式で送受するデータを、端末Ｉ／Ｆ部においては同期式ＰＰＰフォーマットで双方向通信を行うことが可能となる。
【００２４】
また、請求項６に記載の発明のターミナルアダプタ装置は、さらに、ＰＩＡＦＳフォーマットのデータを無線で送信する無線機能を内臓した無線機能内臓ＰＤＡと無線機能を構成した。本構成により、請求項５のターミナルアダプタ装置は、無線機能内臓ＰＤＡと無線で接続される。よって、無線で同期式ＰＰＰフォーマットで双方向通信を行うことが可能となる。
【００２５】
請求項７に記載の発明のターミナルアダプタ装置は、ＩＳＤＮを物理的に接続し物理レイヤの制御とＤ、Ｂチャネルの分割を行う回線Ｉ／Ｆ部と、ワイヤレスターミナルアダプタとして動作するときの自営無線端末が登録される自営無線制御部と、通信の同期、エラー再送制御などを行い実データを取り込むＰＩＡＦＳ制御部と、本ターミナルアダプタ装置の管理を行う装置管理部と、ＩＳＤＮの呼制御チャネルＤの制御を行うＤ−ｃｈ制御部と、非同期ＰＰＰフレームを同期ＰＰＰフレームに変換する非同期／同期ＰＰＰ変換部と、所定のデータ端末を接続する端末Ｉ／Ｆ部とを有して構成される。
【００２６】
本構成により、物理レイヤの制御とＤ、Ｂチャネルの分割を行い、自営無線制御部がワイヤレスターミナルアダプタとして登録され、ＰＨＳとのデータ伝送の標準プロトコルであるＰＩＡＦＳを制御し、ＩＳＤＮの呼制御チャネルＤの制御を行い、非同期ＰＰＰフレームを同期ＰＰＰフレームに変換し、所定のデータ端末を接続する端末Ｉ／Ｆ部とを有して構成される。これにより、回線Ｉ／Ｆ部からのＰＩＡＦＳフォーマット形式で送受するデータを、端末Ｉ／Ｆ部においては同期式ＰＰＰフォーマットで双方向通信を行うことが可能となる。
【００２７】
請求項８に記載の発明のターミナルアダプタ装置は、さらに、ＰＩＡＦＳフォーマットのデータを無線で送信する無線機能を内臓した無線機能内臓ＰＤＡと無線機能を構成した。本構成により、請求項７のターミナルアダプタ装置は、無線機能内臓ＰＤＡと無線で接続される。よって、無線で同期式ＰＰＰフォーマットで双方向通信を行うことが可能となる。
【００２８】
次に図面を参照して、本発明の一実施の形態に係るターミナルアダプタ装置を、図１から図４を用いて説明する。
【００２９】
（実施の形態１）
図１は、本発明の実施の形態１のターミナルアダプタ装置１の構成例を示している。実施の形態１のターミナルアダプタ装置１は、非同期ＰＰＰフレームを同期ＰＰＰフレームに変換する非同期／同期ＰＰＰ変換部（プロトコル変換部）１０、データ端末を接続する端末Ｉ／Ｆ部１１、ＰＨＳとのデータ伝送の標準プロトコルであるＰＩＡＦＳを制御するＰＩＡＦＳ制御部１２、本ターミナルアダプタ装置１の全ての管理を行う装置管理部１３、ＩＳＤＮの呼制御チャネルＤの制御を行うＤ−ｃｈ制御部１４、ＩＳＤＮを物理的に接続し物理レイヤの制御とＤ、Ｂチャネルの分割を行う回線Ｉ／Ｆ部１５、を有して構成される。
【００３０】
また、上記構成のターミナルアダプタ装置１において、端末インタフェースに同期ＰＰＰ手順を有したリモートルータ１０１、本ターミナルアダプタ装置１と接続するＩＳＤＮ１０３、相手端末が接続するＰＨＳ網１０４、ＰＨＳ端末１０５、リモートアクセスサーバと通信するクライアントである非同期ＰＩＡＦＳ端末１０６の各部との接続関係を有する。
【００３１】
上記構成および接続関係に成る実施の形態１のターミナルアダプタ装置１の動作例について述べる。非同期ＰＩＡＦＳ端末１０６がリモートルータ１０１と接続する時、ＩＳＤＮ１０３より本ターミナルアダプタ装置１に呼設定メッセージとして着信の要求信号が到着する。そのメッセージは回線Ｉ／Ｆ部１５からＤ−ｃｈ制御部１４を介して、装置管理部１３に取り込まれる。そして装置管理部１３の判断の基に呼接続を行い、通信チャネルの物理的な接続がＩＳＤＮ１０３、回線Ｉ／Ｆ部１５、ＰＩＡＦＳ制御部１２、非同期／同期ＰＰＰ変換部１０、端末Ｉ／Ｆ部１１、リモートルータ１０１という経路にて行われる。
【００３２】
次にデータ伝送の実現において、非同期ＰＩＡＦＳ端末１０６より受信するデータは、ＰＩＡＦＳフォーマットとして本ターミナルアダプタ装置１に回線Ｉ／Ｆ部１５経由でＰＩＡＦＳ制御部１２に取り込まれる。ＰＩＡＦＳ制御部１２は、通信の同期、エラー再送制御などを行い、最終的に受信した実データを取り込み、非同期／同期ＰＰＰ変換部１０（プロトコル変換部）に送り込む。なお、非同期ＰＩＡＦＳ端末１０６からリモートルータ１０１にアクセスするＰＩＡＦＳフォーマットのデータ内容は、非同期ＰＰＰフォーマットで構成されている。
【００３３】
つまり、非同期／同期ＰＰＰ変換部１０が取り込む実データは、非同期ＰＰＰデータの構成をしている。従って、プロトコル変換部１０にて非同期ＰＰＰデータが同期ＰＰＰデータに変換され、最終的に端末Ｉ／Ｆ１１を介して同期ＰＰＰプロトコルを収容するリモートルータ１０１に到達する。逆にリモートルータ１０１から送信するデータは、端末Ｉ／Ｆ部１１を介して同期ＰＰＰデータとしてプロトコル変換部１０に取り込まれる。ここで非同期ＰＰＰデータに変換されＰＩＡＦＳ制御部１２へ送信され、ここでＰＩＡＦＳフォーマットに構成され非同期ＰＩＡＦＳ端末１０６に到達する。そして、最終的に非同期ＰＩＡＦＳ端末１０６とリモートルータ１０１の双方向通信が可能となる。
【００３４】
実施の形態１によれば、網のＰＩＡＦＳ伝送フォーマットを解凍し、同期ＰＰＰフォーマットに変換することにより、ＰＩＡＦＳ手順を搭載していない既存の同期ＰＰＰＩ／Ｆを有する端末と通信することができる。
【００３５】
（実施の形態２）
図２は、本発明の実施の形態２のターミナルアダプタ装置２の構成例を示している。実施の形態２のターミナルアダプタ装置２は、非同期ＰＰＰフレームを同期ＰＰＰフレームに変換する非同期／同期ＰＰＰ変換部（プロトコル変換部）１０、データ端末を接続する端末Ｉ／Ｆ部１１、本ターミナルアダプタ装置２の全ての管理を行う装置管理部１３、ＩＳＤＮの呼制御チャネルＤの制御を行うＤ−ｃｈ制御部１４、ＩＳＤＮを物理的に接続し物理レイヤの制御とＤ、Ｂチャネルの分割を行う回線Ｉ／Ｆ部１５、モデム変換部１７を有して構成される。
【００３６】
上記の実施の形態１のＰＩＡＦＳ制御部１２と置換された形態のモデム変換部１７は、ＩＳＤＮから受信した音声信号をモデム信号に変換し、さらにモデム信号のデータを制御し、実データの取り込みを行うモデム変換部である。
【００３７】
また、上記構成のターミナルアダプタ装置２において、端末インタフェースに同期ＰＰＰ手順を有したリモートルータ１０１、本ターミナルアダプタ装置２と接続するＩＳＤＮ１０３、相手端末が接続するＰＳＴＮ１０７、モデム１０８、リモートアクセスサーバと通信するクライアントである非同期端末１０９の各部との接続関係を有する。
【００３８】
動作例について述べる。非同期端末１０９は、非同期端末がリモートルータ１０１と接続する時、モデム１０８からＰＳＴＮ１０７を介してＩＳＤＮ１０３より本ターミナルアダプタ装置２に呼設定メッセージとして着信の要求信号が到着する。そのメッセージは、回線Ｉ／Ｆ部１５からＤ−ｃｈ制御部１４を介して、装置管理部１３に取り込まれる。そして装置管理部１３の判断の基に呼接続を行い、通信チャネルの物理的な接続がＩＳＤＮ１０３、回線Ｉ／Ｆ部１５、モデム変換部１６、非同期／同期ＰＰＰ変換部１０、端末Ｉ／Ｆ部１１、リモートルータ１０１という経路にて行われる。
【００３９】
次にデータ伝送の実現において、非同期端末１０９から送信されるデータは、モデム１０８によりモデム信号に変換される。そのモデム信号は、本ターミナルアダプタ装置２に回線Ｉ／Ｆ部１５経由でモデム変換部１６に取り込まれる。モデム変換部１６は、デジタル信号を音声として変調し、モデム信号の同期、エラー再送制御などを行い、最終的に受信した実データが取り込まれる。その後、最終的にリモートルータ１０１にデータが送信される手段については実施の形態１と同様であり、最終的に双方向通信が実現する。
【００４０】
実施の形態２によれば、モデム伝送データを解凍し、同期ＰＰＰフォーマットに変換することにより、モデムを搭載していない既存の同期ＰＰＰＩ／Ｆを有する端末と通信することができる。
【００４１】
（実施の形態３）
図３は、本発明の実施の形態３のターミナルアダプタ装置３の構成例を示している。実施の形態３のターミナルアダプタ装置３は、データ端末を接続する端末Ｉ／Ｆ部１１、ＰＨＳとのデータ伝送の標準プロトコルであるＰＩＡＦＳを制御するＰＩＡＦＳ制御部１２、本ターミナルアダプタ装置３の全ての管理を行う装置管理部１３、ＩＳＤＮの呼制御チャネルＤの制御を行うＤ−ｃｈ制御部１４、ＩＳＤＮを物理的に接続し物理レイヤの制御とＤ、Ｂチャネルの分割を行う回線Ｉ／Ｆ部１５、ワイヤレスＴＡとして動作するときの自営無線端末が登録される自営無線制御部１６、モデム変換部１７を有して構成される。
【００４２】
また、上記構成のターミナルアダプタ装置３において、ワイヤレスＴＡとして動作する際に本ターミナルアダプタ装置３に登録される無線機能内臓ＰＤＡ１０２、ＩＳＤＮ１０３、相手端末が接続するＰＳＴＮ１０７、モデム１０８、リモートアクセスサーバと通信するクライアントである非同期端末１０９の各部との接続関係を有する。
【００４３】
上記構成部のモデム変換部１７は、動作としては実施の形態２と同様であるが、ブロックの接続がＰＩＡＦＳ制御部１２と回線Ｉ／Ｆ部１５の中間に位置する。その他は従来のターミナルアダプタ装置（ワイヤレスターミナルアダプタ時）と同様である。
【００４４】
動作について述べる。本実施の形態３のターミナルアダプタ装置３に登録されている無線機能内臓ＰＤＡ１０２が遠隔地にある非同期端末１０９と接続する時、装置管理部１３より呼設定メッセージがＤ−ｃｈ制御部１４で構築されメッセージは回線Ｉ／Ｆ部１５よりＩＳＤＮ１０３に送出される。そして最終的に呼の接続が非同期端末１０９と行われる。通信チャネルの物理的な接続は自営無線部制御部１６、ＰＩＡＦＳ制御部１２、モデム変換部１７、回線Ｉ／Ｆ部１５、ＩＳＤＮ１０３という経路にて行われる。
【００４５】
次にデータ伝送の実現において、無線機能内臓ＰＤＡ１０２から送信されるＰＩＡＦＳ形式のデータは、ＰＩＡＦＳフォーマットとして本ターミナルアダプタ装置３内に自営無線制御部１６経由でＰＩＡＦＳ制御部１２に取り込まれる。
【００４６】
ＰＩＡＦＳ制御部１２は、通信の同期、エラー再送制御等を行い、最終的に受信した実データを取り込み、モデム変換部１７に送り込まれる。モデム変換部１６は、実施の形態３の機能と同様で最終的にはモデム信号として回線Ｉ／Ｆ部１５に送信し、ＰＳＴＮ１０７、モデム１０８を介して非同期端末１０９にデータが到達する。逆に、非同期端末１０６からモデム１０８を介して受信されるモデムデータはモデム変換部１７により、実データとして受信されるモデムデータはモデム変換部１７により実データとして取り出され、ＰＩＡＦＳ制御部１２よりＰＩＡＦＳフォーマットとして自営無線制御部１６を介して無線機能内臓ＰＤＡ１０２に到達する。上記の動作をすることにより最終的に双方向通信を実現する。
【００４７】
実施の形態３によれば、ターミナルアダプタ装置３に登録される自営データ端末（以降、単にＰＤＡとも言う）からのＰＩＡＦＳ伝送フォーマットを解凍し、モデム信号に変換することにより、ＰＩＡＦＳ手順を搭載していない既存のモデムを搭載した端末と通信することができる。
【００４８】
（実施の形態４）
図４は、本発明の実施の形態４のターミナルアダプタ装置４の構成例を示している。実施の形態４のターミナルアダプタ装置４は、非同期ＰＰＰフレームを同期ＰＰＰフレームに変換する非同期／同期ＰＰＰ変換部（プロトコル変換部）１０、データ端末を接続する端末Ｉ／Ｆ部１１、ＰＨＳとのデータ伝送の標準プロトコルであるＰＩＡＦＳを制御するＰＩＡＦＳ制御部１２、本ターミナルアダプタ装置４の全ての管理を行う装置管理部１３、ＩＳＤＮの呼制御チャネルＤの制御を行うＤ−ｃｈ制御部１４、ＩＳＤＮを物理的に接続し物理レイヤの制御とＤ、Ｂチャネルの分割を行う回線Ｉ／Ｆ部１５、ワイヤレスＴＡとして動作するときの自営無線端末が登録される自営無線制御部１６、を有して構成される。
【００４９】
また、上記構成のターミナルアダプタ装置４において、ワイヤレスＴＡとして動作する際に本ターミナルアダプタ装置４に登録される無線機能内臓ＰＤＡ１０２、ＩＳＤＮ１０３、リモートルータ（同期ＰＰＰプロトコル）の各部との接続関係を有する。
【００５０】
上記構成部の非同期／同期ＰＰＰ変換部１０は、動作としては実施の形態１と同様であるが、ブロックの接続がＰＩＡＦＳ制御部１２と回線Ｉ／Ｆ部１５の中間に位置する。また、無線機能内臓ＰＤＡ１０２が接続する遠隔地の装置は、インターネットプロバイダ等に存在する端末Ｉ／Ｆに同期ＰＰＰプロトコルを保持したリモートルータ１１０である。その他の構成は従来のターミナルアダプタ装置（ワイヤレスターミナルアダプタ時）と同様である。
【００５１】
動作について述べる。本実施の形態４のターミナルアダプタ装置４に登録されている無線機能内臓ＰＤＡ１０２が遠隔地にあるリモートルータ１１０と接続する時、装置管理部１３より呼設定メッセージがＤ−ｃｈ制御部１４で構築され回線Ｉ／Ｆ部１５よりＩＳＤＮ１０３に送出される。そして最終的に呼の接続がリモートルータ１１０と行われる。通信チャネルの物理的な接続は自営無線制御部１６、ＰＩＡＦＳ制御部１２、非同期／同期ＰＰＰ変換部１０、回線Ｉ／Ｆ部１５、ＩＳＤＮ１０３という経路にて行われる。
【００５２】
次にデータ伝送の実現において、無線機能内臓ＰＤＡ１０２から送信されるＰＩＡＦＳ形式のデータは、ＰＩＡＦＳフォーマットとして本ターミナルアダプタ装置４に自営無線制御部１６経由でＰＩＡＦＳ制御部１２に取り込まれる。
【００５３】
ＰＩＡＦＳ制御部１２は、通信の同期、エラー再送制御等を行い、最終的に受信した実データを取り込み、非同期／同期ＰＰＰ変換部１０に送り込まれる。非同期／同期ＰＰＰ変換部１０は、実施の形態１と同様の機能で最終的には実データ（インターネットに接続する際の実データはＰＰＰというフォーマットを構成する）である非同期ＰＰＰデータを同期ＰＰＰデータに変換する。そしてそのデータは、リモートルータ１１０に到達する。リモートルータ１１０から受信した同期ＰＰＰデータも送信時と逆のルートを経由し、最終的に無線機能内臓ＰＤＡ１０２に到達し、結局双方向通信を実現する。
【００５４】
実施の形態４によれば、ターミナルアダプタ装置４に登録される自営データ端末（ＰＤＡ等）からのＰＩＡＦＳ伝送フォーマットを解凍し、同期ＰＰＰに変換することにより、ＰＩＡＦＳ手順を搭載していない既存の同期ＰＰＰを搭載した端末と通信することができる。
【００５５】
【発明の効果】
以上のように請求項１の発明は、網のＰＩＡＦＳ伝送フォーマットを解凍し、同期ＰＰＰフォーマットに変換することにより、ＰＩＡＦＳ手順を搭載していない既存の同期ＰＰＰＩ／Ｆを有する端末と通信することができる。
【００５６】
他の発明では、網のモデム伝送データを解凍し、同期ＰＰＰフォーマットに変換することにより、モデムを搭載していない既存の同期ＰＰＰＩ／Ｆを有する端末と通信することができる。
【００５７】
また、他の発明において、ターミナルアダプタ装置に登録される自営データ端末（ＰＤＡ等）からのＰＩＡＦＳ伝送フォーマットを解凍し、モデム信号に変換することにより、ＰＩＡＦＳ手順を搭載していない既存のモデムを搭載した端末と通信することができる。
【００５８】
さらに、他の発明において、ターミナルアダプタ装置に登録される自営データ端末（ＰＤＡ等）からのＰＩＡＦＳ伝送フォーマットを解凍し、同期ＰＰＰに変換することにより、ＰＩＡＦＳ手順を搭載していない既存の同期ＰＰＰを搭載した端末と通信することができる。
【図面の簡単な説明】
【図１】本発明の実施の形態１におけるターミナルアダプタ装置の構成図
【図２】本発明の実施の形態２におけるターミナルアダプタ装置の構成図
【図３】本発明の実施の形態３におけるターミナルアダプタ装置の構成図
【図４】本発明の実施の形態４におけるターミナルアダプタ装置の構成図
【図５】従来のターミナルアダプタ装置の構成図
【符号の説明】
１、２、３、４  ターミナルアダプタ装置
１０  非同期／同期ＰＰＰ変換部
１１  端末Ｉ／Ｆ部
１２  ＰＩＡＦＳ制御部
１３  装置管理部
１４  Ｄ−ｃｈ制御部
１５  回線Ｉ／Ｆ部
１６  自営無線制御部
１７  モデム変換部
１００  リモートアクセスサーバ（非同期）
１０１  リモートルータ（同期ＰＰＰ）
１０２  無線機能内臓ＰＤＡ
１０３  ＩＳＮＤ網
１０４  ＰＨＳ網
１０５  ＰＨＳ端末
１０６  非同期ＰＩＡＦＳ端末
１０７  ＰＳＴＮ
１０８  モデム
１０９  非同期端末
【図１】
0003809928.tif 000002
【図２】
0003809928.tif 000003
【図３】
0003809928.tif 000004
【図４】
0003809928.tif 000005
【図５】
0003809928.tif 000006